(57)【要約】【課題】画像を読み取る原稿の中に原稿搬送装置を通過しにくい原稿が含まれている場合にも複雑な操作を必要とすることなく原稿読み取りを短時間に、かつ原稿の傷みを最小限にとどめて完了させる手法を提供する。【解決手段】原稿を搬送する原稿搬送装置と、原稿を載置する原稿載置台と、原稿搬送装置で搬送される原稿の画像を読み取る搬送原稿読み取りモードと原稿載置台に載置された原稿の画像を読み取る固定原稿読み取りモードとの何れかのモードを選択する読み取りモード制御部と、搬送原稿読み取りモードで原稿の読み取り処理を開始した後にイベント信号を発生するイベント信号発生部とを備え、前記読み取りモード制御部は、発生したイベント信号に応答して少なくともその直後の原稿読み取り処理を搬送原稿読み取りモードと異なる読み取りモードで行うことを特徴とする原稿読取装置。【選択図】図１
2006339830.tif 000002
【特許請求の範囲】
【請求項１】
原稿を搬送する原稿搬送装置と、
原稿を載置する原稿載置台と、
原稿搬送装置で搬送される原稿の画像を読み取る搬送原稿読み取りモードと原稿載置台に載置された原稿の画像を読み取る固定原稿読み取りモードとの何れかのモードを選択する読み取りモード制御部と、
搬送原稿読み取りモードで原稿の読み取り処理を開始した後にイベント信号を発生するイベント信号発生部とを備え、
前記読み取りモード制御部は、発生したイベント信号に応答して少なくともその直後の原稿読み取り処理を搬送原稿読み取りモードと異なる読み取りモードで行うことを特徴とする原稿読取装置。
【請求項２】
原稿搬送装置で搬送される原稿のジャムを検知する原稿ジャム検知部をさらに備え、
前記イベント信号発生部が、原稿ジャム検知部から原稿ジャム発生の通知を受けてイベント信号を発生する請求項１記載の原稿読取装置。
【請求項３】
原稿読み取り中に操作キーのキー入力を検知するキー入力検知部をさらに備え、
前記イベント信号発生部が、キー入力を検知してイベント信号を発生する請求項１記載の原稿読取装置。
【請求項４】
読み取られた原稿画像が予め定められたインデックス画像であることを認識するインデックス画像認識部をさらに備え、
前記イベント信号発生部が、インデックス画像認識部からインデックス画像を読み取った通知を受けて、イベント信号を発生する請求項１記載の原稿読取装置。
【請求項５】
予め読み取った原稿の画像を記憶する原稿画像記憶部と、
インデックス画像認識部からインデックス画像を読み取った旨のイベント信号に応答して原稿画像記憶部に記憶された原稿画像をインデックス画像に代わる読み取り画像として挿入する画像挿入部をさらに備える請求項４記載の原稿読取装置。
【請求項６】
前記読み取りモード制御部が、インデックス画像と認識された原稿の次の原稿読み取りに搬送原稿読み取りモードを選択する請求項５記載の原稿読取装置。
【請求項７】
原稿載置台に原稿が置かれているか否かを検知する原稿検知部をさらに備え、
前記読み取りモード制御部は、イベント信号に応じて固定原稿読み取りモードで原稿を読み取った後、次の原稿読み取り開始時に原稿検知部が原稿を検知した場合はさらに固定原稿読み取りモードで読み取り処理を行い、原稿検知部が原稿を検知しなかった場合は搬送原稿読み取りモードで読み取り処理を行う請求項１記載の原稿読取装置。
【発明の詳細な説明】
【技術分野】
【０００１】
この発明は、原稿搬送装置と原稿載置台とをそれぞれ用いる２つの原稿読み取りモードを有する原稿読取装置に関する。
【背景技術】
【０００２】
多量の原稿読み取りを効率的に行うために、自動原稿搬送装置を備えた原稿読取装置が広く用いられている。しかし、自動原稿搬送装置が搬送できる原稿の種類には制約がある。例えば、ブック原稿の読み取りには対応していないため、原稿載置台にブック原稿を載置して読み取りを行う。あるいは、シート原稿であっても、薄いシートや分厚いシートの搬送には対応できないため、仕様外のシート原稿を読み取る場合にも原稿載置台に原稿をおいて読み取りを行う。また、角の折れた原稿やカールした感熱紙の原稿なども原稿搬送中にジャムを起こしやすい。そこで、一束の原稿の中に、原稿搬送装置で搬送できない原稿が含まれていることが予めわかっている場合に、予め切り替えるページを指定しておき、指定されたページは原稿載置台からの読み取りに切り替える手法が知られている（例えば、特許文献１参照）。
【特許文献１】特開２００２−２２３３３８号公報
【発明の開示】
【発明が解決しようとする課題】
【０００３】
しかし、原稿載置台からの読み取りに切り替えるページを予め指定するためには、一束の原稿の先頭からのページ数を正確に数えなければならず、特に多量の原稿を読み取る場合に手間がかかり、ページ数を数え間違える確率も増える。また、そのページ数を操作パネルから一ページずつ入力しなければならないので、操作が煩雑である。しかも、１ページでもページ数を数え間違えると、せっかく手間をかけて入力したにもかかわらず何ら改善効果が得られないで徒労に終わってしまう。
【０００４】
また、極端に薄い原稿や分厚い原稿であれば読み取り前に原稿ジャムが発生するであろうことがかなりの確度で予測できるが、やや薄めの原稿や分厚めの原稿を目視で的確に判断することは難しく、結局は原稿搬送装置を通してみなければわからないといった面もある。読み取りの効率を優先する観点から、原稿搬送装置を正常に通過しなかった原稿だけをそれ以上傷めることなくスムーズに再読取できる手法が望まれる。例えば、一度ジャムした原稿は再度原稿搬送装置で搬送してもジャムを再発する確率が高い。このような原稿だけを原稿載置台から読込ませ、次の原稿からは再び原稿搬送装置で読み取らせる処理ができれば、効率的な読み込み処理を実現することができる。
【０００５】
その一方で、原稿がジャムによって傷むことは使用者にとって好ましくなく、特にその内容が重要であったり入手が困難であったりする場合は、予め読み取りで原稿を傷めるおそれの少ない原稿台からの読み取りを選択したいこともある。このような原稿を簡便な操作で選択し、原稿台からの読み取りに切り替えることのできる手法が望まれている。
【０００６】
この発明は、このような事情を考慮してなされたもので、画像を読み取る原稿の中に原稿搬送装置を通過しにくい原稿が含まれている場合にも複雑な操作を必要とすることなく原稿読み取りを短時間に、かつ原稿の傷みを最小限にとどめて完了させる手法を提供するものである。
【課題を解決するための手段】
【０００７】
この発明は、原稿を搬送する原稿搬送装置と、原稿を載置する原稿載置台と、原稿搬送装置で搬送される原稿の画像を読み取る搬送原稿読み取りモードと原稿載置台に載置された原稿の画像を読み取る固定原稿読み取りモードとの何れかのモードを選択する読み取りモード制御部と、搬送原稿読み取りモードで原稿の読み取り処理を開始した後にイベント信号を発生するイベント信号発生部とを備え、前記読み取りモード制御部は、発生したイベント信号に応答して少なくともその直後の原稿読み取り処理を搬送原稿読み取りモードと異なる読み取りモードで行うことを特徴とする原稿読取装置を提供する。
【発明の効果】
【０００８】
この発明の原稿読取装置は、イベント信号に応答して少なくともその直後の原稿読み取り処理を搬送原稿読み取りモードと異なる読み取りモードで行うので、原稿の中に原稿搬送装置を通過しにくい原稿が含まれている場合にイベント信号に応答して原稿の読み取りモードを固定原稿読み取りモードに切り替えるので、原稿搬送装置を通過しにくい原稿だけを傷めることなく、効率的に読み取ることができる。
【０００９】
原稿読取装置が、原稿搬送装置で搬送される原稿のジャムを検知する原稿ジャム検知部をさらに備え、前記イベント信号発生部が、原稿ジャム検知部から原稿ジャム発生の通知を受けてイベント信号を発生するようにしてもよい。このようにすれば、原稿ジャムが発生した場合にその原稿の再読込みを固定原稿読み取りモードで行うことができるので、原稿搬送装置を通過しにくい原稿だけを傷めることなく、効率的に読み取ることができる。しかも、原稿ジャムの発生によって原稿読み取りモードが固定原稿読み取りモードに切換わるので、読み取りモードを切り替えるための余分な操作を伴わず、使用者にとって便宜である。
【００１０】
あるいは、原稿読み取り中に操作キーのキー入力があったことを検知するキー入力検知部をさらに備え、前記イベント信号発生部が、キー入力を検知してイベント信号を発生するようにしてもよい。このようにすれば、例えば、使用者が原稿読み取り中に薄紙原稿が含まれていることに気づいた際には、特定のキーを押すようにさせれば、これによって搬送原稿読み取りモードでの読み取りを中断し、固定原稿読み取りモードに切り替えて読み取り処理を行うことができる。
【００１１】
あるいはまた、読み取られた原稿画像が予め定められたインデックス画像であることを認識するインデックス画像認識部をさらに備え、前記イベント信号発生部が、インデックス画像認識部からインデックス画像を読み取った通知を受けて、イベント信号を発生するようにしてもよい。このようにすれば、予め例えば固定原稿読み取りモードで読み取らせたい原稿がわかっている場合には、その原稿に代えてインデックス画像の原稿を挿入しておくことにより、簡便な指定方法で原稿の読み取りモードの選択を切り替えることができる。
【００１２】
さらに、予め読み取った原稿の画像を記憶する原稿画像記憶部と、インデックス画像認識部からインデックス画像を読み取った旨のイベント信号に応答して原稿画像記憶部に記憶された原稿画像をインデックス画像に代わる読み取り画像として挿入する画像挿入部をさらに備えていてもよい。このようにすれば、搬送原稿読み取りモードで読み取る原稿以外を予めまとめて読み取り、記憶させておくことができるので、読み取りを効率的に行うことができる。また、操作者は、予め原稿画像を記憶させた後、原稿搬送装置に残りの原稿をセットして読み取りを開始すれば、原稿読取装置の傍らに居る必要がないので、使用者にとっても便宜である。
【００１３】
前記読み取りモード制御部が、インデックス画像と認識された原稿の次の原稿読み取りに搬送原稿読み取りモードを選択するようにしてもよい。このようにすれば、イベント信号が入った次の原稿は搬送原稿読み取りモードと異なる読み取りモードで読み取り、さらに次の原稿は再び搬送原稿読み取りモードで読み取りを行うので、例えば、ジャムによって再読込みを行った原稿のさらに次の原稿からは、原稿搬送装置を用いて効率的に読み取り処理を行うことができる。
【００１４】
また、原稿載置台に原稿が置かれているか否かを検知する原稿検知部をさらに備え、前記読み取りモード制御部は、イベント信号に応じて固定原稿読み取りモードで原稿を読み取った後、次の原稿読み取り開始時に原稿検知部が原稿を検知した場合はさらに固定原稿読み取りモードで読み取り処理を行い、原稿検知部が原稿を検知しなかった場合は搬送原稿読み取りモードで読み取り処理を行うようにしてもよい。このようにすれば、固定原稿読み取りモードに切換わった後に、次の原稿を原稿載置台に置いた状態で読み取りを開始するだけで複数枚の原稿の読み取りを固定原稿読み取りモードで継続することができ、かつ、原稿載置台に原稿を置かずに次の読み取りを開始すると搬送原稿読み取りモードに切換わるので、読み取りモードを切り替えるための余分な操作を必要とせずに使用者の意図にそった読み取りモードで原稿の読み取りを継続することができる。
【発明を実施するための最良の形態】
【００１５】
以下、図面に示す実施形態に基づいてこの発明をさらに詳述する。なお、これによってこの発明は限定を受けるものではない。
図２は、この発明の原稿読取装置の機構的な構成を示す断面図である。図２に示すように、原稿読取装置は、下部のスキャナ部１０と上部の原稿搬送装置（ＡＤＦ）１００から構成される。スキャナ部１０は、その内部に原稿の第１面を読み取る第１の読取手段１０４を収容し、天面に原稿載置台２７を有する。原稿載置台２７に原稿を置くために、原稿搬送装置１００は、図２の断面の奥行き方向の奥側の端部に図示しないヒンジ部を有し、ヒンジを旋回軸として手前側の部分を上方に持ち上げて旋回させることができる。これによって、原稿載置台２７の上面を開放し、原稿を載置あるいは交換可能にすると共に、ブック原稿など厚みのある原稿を原稿載置台２７に置いて読み取ることができるようになっている。また、原稿搬送装置１００は、原稿載置台２７に置かれた原稿を読み取り中に上側から抑えて固定する原稿カバーとしての役割を担う。
【００１６】
第１の読取手段１０４は、原稿面を照射する露光ランプ１３と露光ランプ１３に照射された原稿面からの反射光を反射させる第１ミラー１５とを一体に支持して矢印Ａの方向に移動する第１走査ユニット１１、第１ミラー１５からの反射光をさらに反射させて結像レンズ２３へ導くための第２ミラー１７ならびに第３ミラー１９を一体に支持して第１走査ユニットの移動につれて同方向に移動する第２走査ユニット２１、結像レンズ２３、ＣＣＤイメージセンサ２５から構成される。第１走査ユニット１１と第２走査ユニット２１は、共に図示しない駆動手段によって駆動され、互いの移動速度は、第２走査ユニット２１が第１走査ユニット１１の１／２の速度を維持するように構成されている。そして、読取面を下側にして原稿載置台２７の上に置かれた原稿を走査して原稿面の画像をＣＣＤイメージセンサ２５に結像させて原稿の画像を読み取る。これが、固定原稿読み取りモードである。なお、この実施形態の前記第１の読取手段１０４は、ＣＣＤリニアセンサと縮小光学系を用いて構成されるが、露光ランプと密着型イメージセンサを一体に移動させるように構成することも可能である。
【００１７】
原稿搬送装置１００は、原稿載置トレイ１０１から原稿排出トレイ１０２に至る原稿搬送路１０３を備えている。原稿搬送路１０３中に、前述の第１走査ユニット１１を所定位置に停止させた状態で原稿搬送路１０３を通過する原稿の第１面を読み取るためのスリット部１０９とＣＩＳイメージセンサ（密着型イメージセンサ）を用いたＣＩＳ方式の第２の画像読取手段１０５とが、原稿の搬送方向に沿ってこの順序で配置されている。ＣＣＤ方式の画像読取手段１０４はスリット部１０９の直下に第１走査ユニット１１を停止させて原稿の第１面の画像を読み取り、ＣＩＳ方式の画像読取手段１０５は原稿の第２面の画像を読み取る。ＣＣＤ方式の画像読取手段１０４の上流側には、搬送ローラ１０６と原稿搬送路の湾曲部１０７とが原稿の搬送方向に沿ってこの順序で配置されている。そして、ＣＣＤ方式の画像読取手段１０４からＣＩＳ方式の画像読取手段１０５を経て、原稿搬送路１０３が略直線状に伸びる終端部に原稿排紙ローラ１０８が配置されている。原稿は、原稿搬送路１０３を原稿載置トレイ１０１から原稿排出トレイへ向けて搬送される。
【００１８】
図１は、この発明の原稿読取装置の機能的な構成を示すブロック図である。図１において、パネル制御部３１は、原稿読取装置１の状態を表示し、動作に関する指示を使用者に入力させる図２に図示しない操作パネルを制御するブロックである。パネル制御部３１は、図示しない操作パネルに設けられたキーを読み取るためのキー入力回路、表示素子としてのＬＥＤあるいは液晶を駆動するための駆動回路、キー入力を判定し、表示素子に表示させる内容の制御を行うためのＣＰＵ，ＣＰＵにキー入力の判定および表示内容の制御を実行させるためのプログラム、前記プログラムを格納するメモリ素子から実現することができる。前記ＣＰＵは、以降に説明する各ブロックの処理を実現するＣＰＵと同一のものであってよい。その場合は、ＣＰＵが実行する処理プログラムを格納するメモリ素子も同一のものであってよい。ただし、処理プログラムの内容は、各ブロックの処理内容に応じてそれぞれ異なる。読取部３３は、第１の画像読取手段１０４、第２の読み取り手段１０５および各読み取り手段のイメージセンサから出力された画像信号を処理して出力する画像処理回路から構成される。また、前記の回路に加え、読取部の動作および画像処理回路の設定を行うためのＣＰＵ、ＣＰＵに読み取りに必要な処理を実行させるためのプログラムによって実現される。
【００１９】
イベント信号発生部３７は、原稿読み取り開始後に、読み取りモードを切り替えるトリガとなるイベント信号を発生するブロックであり、具体的には、原稿読み取り中に図示しない操作パネルの操作キーからのキー入力を検知するキー入力検知部３９、原稿搬送装置１００で原稿ジャムが発生したことを検知する原稿ジャム検知部４１、読み取った原稿画像が予め定められたインデックス画像であることを認識するインデックス画像認識部４０を含む。キー入力検知部３９は、特定のキーが押されたことを判定するブロックで、ＣＰＵと、ＣＰＵに処理を実行させるプログラムによって実現される。原稿ジャム検知部４１は、搬送路１０３に沿って設けられた図示しない原稿ジャム検知センサ、原稿ジャム検知センサからの検知信号を受ける信号入力回路、検知信号の発生タイミングを判定し、あるいは所定のタイミングで検知信号が発生しないことを判断するためのＣＰＵとＣＰＵに判断を行わせるためのプログラムによって実現される。インデックス画像認識部４０は、予め定められたインデックス画像の特徴を保持するためのメモリ素子、読取部３３で読み取られた原稿画像の特徴と前記メモリ素子に保持されたインデックス画像の特徴を比較するパターンマッチング回路、パターンマッチング回路による画像比較結果を判定するＣＰＵとＣＰＵに判定処理を実行させるためのプログラムによって実現される。
【００２０】
イベント信号発生部３７で発生したイベント信号は、読み取りモード制御部３５に送られ、読み取りモード制御部３５は、イベント信号に応じて読み取り中の原稿の読み取りモードを切り替える。読み取りモード制御部の処理の詳細は、フローチャートを参照してさらに後述する。なお、読み取りモード制御部３５は、ＣＰＵとＣＰＵに処理を実行させるプログラムによってその機能が実現される。
【００２１】
また、原稿カバー開閉検知部４３は、原稿搬送装置が図示しないヒンジ部を中心に開閉され原稿カバーとして機能する際に、開閉の状態を検知する。原稿カバー開閉検知部４３は、原稿搬送装置１００の図示しないヒンジ部に設けられた開閉センサと、開閉センサからの開閉信号を入力する信号入力回路、開閉信号を判定するＣＰＵとＣＰＵに処理を実行させるためのプログラムによって実現される。メイン制御部４５は、画像読取装置全体の制御を行うブロックである。メイン制御部４５は、ＣＰＵと、ＣＰＵに各種の処理を実行させるためのプログラムで実現される。また、制御データ記憶部４７は、制御用のデータの内容を、各データの内容に応じて一時的あるいは恒久的に記憶する。制御データ記憶部は、ＲＡＭやフラッシュＲＯＭなどを用いて実現することができる。画像処理用バッファ４９は、読み取った原稿の画像データを処理のために一時的に記憶する。画像処理用バッファ４９は、例えば、ＤＲＡＭを用いて実現することができる。
【００２２】
原稿画像記憶部５１は、読み取った原稿の画像データを後の利用のために格納して保持する。原稿画像記憶部５１は、フラッシュＲＯＭや、ハードディスク装置などを用いて実現することができる。画像挿入部５３は、原稿画像記憶部５１に格納された画像データを利用する際に、読取部３３の画像データに挿入するブロックである。画像挿入部５３は、画像デーを処理するためのメモリ制御回路とメモリ制御回路を制御するためのＣＰＵ、ＣＰＵに所定の処理を実行させるプログラムによって実現することができる。原稿検知部５５は、原稿載置台に原稿が置かれているかどうかを検知する。また、原稿搬送装置１００の原稿載置トレイ１０１に原稿があるかどうかを検知する。原稿検知部５５は、原稿載置台２７および原稿載置トレイ１０１に設けられた図示しない原稿検知センサ、原稿検知センサからの原稿検知信号を受ける信号入力回路、原稿検知信号の発生タイミングを判定し、あるいは所定のタイミングで原稿検知信号が発生しないことを判断するためのＣＰＵとＣＰＵに判断を行わせるためのプログラムによって実現される。
【００２３】
（実施の形態１）
この実施の形態では、ＡＤＦで原稿を読み取る途中に原稿ジャムが発生した場合に、原稿ジャムをイベント信号として読み取りモードを切り替える態様の一例について説明する。
図３は、この発明の原稿読取装置における原稿読み取り処理の実行手順の一例を示すフローチャートである。図３で、まず、使用者によってＡＤＦ１００の原稿載置トレイ１０１に原稿がセットされると、原稿検知部５５は、原稿検知部図示しない原稿検知センサによって、ＡＤＦ１００に原稿がセットされたことを検知する。読み取りモード制御部３５は、原稿検知部５５によってＡＤＦ１００への原稿セットが検知されたことに応答して読み取りモードとして搬送原稿読み取りモードを選択する（ステップＳ１１）。この状態で、使用者によって読み取り開始のキーが押下されると、パネル制御部３１がキーの押下を検知する。メイン制御部４５は、読み取り開始のキー押下に応答して読み取り処理を開始し、原稿の読み取り処理を行う（ステップＳ１３）。
【００２４】
前述のように、搬送原稿読み取りモードが選択されているので、メイン制御部４５は、ＡＤＦ１００の原稿載置トレイ１０１に載置された原稿を１枚ずつ原稿搬送路１０３に搬送し、第１の画像読取手段１０４によって原稿の第１面が読み取るように制御する。また、両面読み取りのモードが使用者によって選択されている場合は、第２の画像読取手段１０５によって原稿の第２面を同時に読み取るように制御する。このようにして、メイン制御部４５は、原稿載置トレイ１０１の原稿を、順次原稿搬送路１０３へ給送して原稿の画像を読み取るように制御する。原稿搬送路１０３を原稿が通過する間、原稿ジャム検知部５５は、原稿ジャムの発生の有無を検知する。原稿ジャムが発生することなく、正常に読み取り処理が行われている間は、メイン制御部４５は、一枚ごとの原稿読み取りを順次行い、原稿を読み取るごとに次の原稿があるかどうかを判定する（ステップＳ２５）。原稿載置トレイ１０１上の原稿が全て給送されたことを原稿検知部５５が検知した場合、メイン制御部４５は、読み取った原稿の画像データを一連の画像データにまとめて出力する（ステップＳ２７）。
【００２５】
一方、読み取り処理の途中で、搬送原稿のジャムが発生した場合、原稿ジャム検知部４１はジャムの発生を検知し（ステップＳ１５）、イベント信号を出力する。読み取りモード制御部３５は、原稿ジャム検知部４１からのイベント信号に応答して、ジャムが発生した原稿の再読取の際の読み取りモードとして、固定原稿読み取りモードを選択する。また、メイン制御部４５は、図示しない操作パネルにジャムの発生をメッセージ等で表示して、搬送路１０３中に滞留した原稿を使用者が取り除くように促し、再読込みのための原稿を原稿載置台２７に置くように促す。使用者によって搬送路１０３中の原稿が全て取り除かれ、再読込みをする原稿が原稿載置台２７に置かれた後に、再読込みの開始を指示するために読み取り開始のキーが押されると、原稿ジャム検知部４１は、ジャムが解除されたことを検知し（ステップＳ１９）、メイン制御部４５は、ジャムが発生した原稿の再読取を開始する。このとき、読み取りモード制御部３５によって固定原稿読み取りモードが選択されているので、メイン制御部４５は、原稿載置台２７に置かれた原稿を走査するように制御する（ステップＳ２１）。
【００２６】
固定原稿読み取りモードでの原稿の読み取りが終了すると（ステップＳ２３）、メイン制御部４５は、次に読み取るべき原稿がＡＤＦ１００に残っているかどうかを判断する（ステップＳ２５）。原稿が残っている場合、ルーチンはステップＳ１３へ進み、以降の原稿を搬送原稿読み取りモードで読み取る。なお、固定原稿読み取りモードで再読込みを行った後、使用者が明示的に固定原稿読み取りモードの終了をキー入力するまでは、以降の原稿読み取りを固定原稿読み取りモードで行うようにしてもよい。これは、原稿ジャムによってＡＤＦ１００に複数枚の原稿が滞留したばあい、複数枚の原稿が再読込みの対象となるためであり、これらの原稿をすべて固定原稿読み取りモードで行う方が原稿を傷めるおそれが少ないと使用者が判断した場合に、使用者の意志を尊重した読み取り処理を行うためである。
【００２７】
（実施の形態２）
この実施の形態では、ＡＤＦで原稿を読み取る途中に使用者による特定のキー入力をイベント信号として読み取りモードを切り替える態様の一例について説明する。
図４は、この発明の原稿読取装置における原稿読み取り処理の実行手順の異なる一例を示すフローチャートである。図４で、まず、使用者によってＡＤＦ１００の原稿載置トレイ１０１に原稿がセットされると、原稿検知部５５は、原稿検知部図示しない原稿検知センサによって、ＡＤＦ１００に原稿がセットされたことを検知する。読み取りモード制御部３５は、原稿検知部５５によってＡＤＦ１００への原稿セットが検知されたことに応答して読み取りモードとして搬送原稿読み取りモードを選択する（ステップＳ３１）。この状態で、使用者によって読み取り開始のキーが押下されると、パネル制御部３１がキーの押下を検知する。メイン制御部４５は、読み取り開始のキー押下に応答して原稿の読み取り処理を開始し、原稿の読み取り処理を行う（ステップＳ３３）。
【００２８】
前述のように、搬送原稿読み取りモードが選択されているので、メイン制御部４５は、ＡＤＦ１００の原稿載置トレイ１０１に載置された原稿を１枚ずつ原稿搬送路１０３に搬送し、第１の画像読取手段１０４によって原稿の第１面が読み取るように制御する。また、両面読み取りが使用者によって設定されている場合は、第２の画像読取手段１０５によって原稿の第２面を同時に読み取るように制御する。このようにして、メイン制御部４５は、原稿載置トレイ１０１の原稿を、順次原稿搬送路１０３へ給送して原稿の画像を読み取るように制御する。原稿ジャムが発生することなく、正常に読み取り処理が行われている間は、一枚ごとの原稿読み取りを順次行い、原稿を読み取るごとに次の原稿があるかどうかを判定する（ステップＳ４５）。原稿載置トレイ１０１上の原稿が全て給送されたことを原稿検知部５５が検知した場合、メイン制御部４５は、読み取った原稿の画像データを一連の画像データにまとめて出力する（ステップＳ４７）。
【００２９】
一方、読み取り処理の途中で、使用者が特定のキーを押下した場合（ステップＳ３５）、キー入力検知部３９はキー入力を検知してイベント信号を出力する。読み取りモード制御部３５は、キー入力検知部３９からのイベント信号に応答して、キーが押された際に読み取られている原稿の次の原稿の読み取りモードとして、固定原稿読み取りモードを選択する。また、メイン制御部４５は、読み取り中の原稿の処理終了を待って次の原稿の読み取りを行わずに動作を停止し、図示しない操作パネルに読み取りモード切り替えの要求により停止した旨のメッセージ等で表示して、次に読み取る原稿を原稿載置台２７に置くように使用者を促す。使用者によって次の原稿が原稿載置台２７に置かれた後に、読込みの開始を指示するために読み取り開始のキーが押されると、メイン制御部４５は、次の原稿の読取を開始する。このとき、読み取りモード制御部３５によって固定原稿読み取りモードが選択されているので、原稿の読み取りは原稿載置台２７に置かれた原稿を走査する（ステップＳ３９）。
【００３０】
固定原稿読み取りモードでの原稿の読み取りが終了すると（ステップＳ４１）、メイン制御部４５は、次に読み取るべき原稿がＡＤＦ１００に残っているかどうかを判断する（ステップＳ４５）。原稿が残っている場合、ルーチンはステップＳ３３へ進み、以降の原稿を搬送原稿読み取りモードで読み取る。なお、固定原稿読み取りモードで再読込みを行った後、使用者が明示的に固定原稿読み取りモードの終了をキー入力するまでは、以降の原稿読み取りを固定原稿読み取りモードで行うようにしてもよい。これは、固定原稿読み取りモードで読込みたい原稿が複数枚連続している場合に、使用者の便宜を図るためである。
【００３１】
（実施の形態３）
この実施の形態では、ＡＤＦで読み取った原稿の画像が、使用者によって予め定められたインデックス原稿であると認識した場合に、インデックス原稿の認識をイベント信号として読み取りモードの選択を切り替える態様について説明する。
この実施の形態において、使用者は、予め一連の読み取り原稿のうち固定原稿読み取りモードで読み取りたい原稿をインデックス原稿に差し替えていることが前提である。例えば、原稿の中に極端に薄い用紙や厚い用紙が混在する場合、使用者は、その原稿をインデックス原稿に差し替えておくものとする。
【００３２】
図５は、この発明の原稿読取装置における原稿読み取り処理の実行手順の異なる一例を示すフローチャートである。図５で、まず、使用者によってＡＤＦ１００の原稿載置トレイ１０１にインデックス原稿が挿入された一束の原稿がセットされると、原稿検知部５５は、原稿検知部図示しない原稿検知センサによって、ＡＤＦ１００に原稿がセットされたことを検知する。読み取りモード制御部３５は、原稿検知部５５によってＡＤＦ１００への原稿セットが検知されたことに応答して読み取りモードとして搬送原稿読み取りモードを選択する（ステップＳ５１）。この状態で、使用者によって読み取り開始のキーが押下されると、パネル制御部３１がキーの押下を検知する。メイン制御部４５は、読み取り開始のキー押下に応答して原稿の読み取り処理を開始し、原稿の読み取り処理を行う（ステップＳ５３）。
【００３３】
前述のように、搬送原稿読み取りモードが選択されているので、メイン制御部４５は、ＡＤＦ１００の原稿載置トレイ１０１に載置された原稿を１枚ずつ原稿搬送路１０３に搬送し、第１の画像読取手段１０４によって原稿の第１面が読み取るように制御する。また、両面読み取りが使用者によって設定されている場合は、第２の画像読取手段１０５によって原稿の第２面を同時に読み取るように制御する。このようにして、メイン制御部４５は、原稿載置トレイ１０１の原稿を、順次原稿搬送路１０３へ給送して原稿の画像を読み取るように制御する。インデックス原稿以外の原稿に対して通常の読み取り処理が行われている間は、一枚ごとの原稿読み取りを順次行い原稿を読み取るごとに次の原稿があるかどうかを判定する（ステップＳ６５）。インデックス画像認識部４０は、読み取られた原稿の画像をインデックス画像と比較し、インデックス原稿かどうかの判定を各原稿の読み取りのたびに行う。原稿載置トレイ１０１上の原稿が全て給送されたことを原稿検知部５５が検知した場合、メイン制御部４５は、読み取った原稿の画像データを一連の画像データにまとめて出力する（ステップＳ６７）。
【００３４】
インデックス画像認識部４０は、読み取った原稿の画像がインデックス画像であると認識した場合にイベント信号を出力する（ステップＳ５５）。読み取りモード制御部３５は、インデックス画像認識部４０からのイベント信号に応答して、インデックス原稿の次の原稿の読み取りモードとして、固定原稿読み取りモードを選択する。また、メイン制御部４５は、インデックス画像を読み取った原稿画像として処理せずに破棄し（ステップＳ５９）、インデックス原稿の次の原稿の読み取りを行わずに動作を停止する。そして、図示しない操作パネルにインデックス原稿の認識により停止した旨のメッセージ等で表示して、次に読み取る原稿を原稿載置台２７に置くように使用者を促す。使用者によって次の原稿が原稿載置台２７に置かれ、読込みの開始を指示するために読み取り開始のキーが押されると、メイン制御部４５は、次の原稿の読取を開始する。このとき、読み取りモード制御部３５によって固定原稿読み取りモードが選択されているので、原稿の読み取りは原稿載置台２７に置かれた原稿を走査する（ステップＳ６１）。
【００３５】
固定原稿読み取りモードでの原稿の読み取りが終了すると、メイン制御部４５は、次に読み取るべき原稿がＡＤＦ１００に残っているかどうかを判断する（ステップＳ６５）。原稿が残っている場合、ルーチンはステップＳ５３へ進み、以降の原稿を搬送原稿読み取りモードで読み取る。
【００３６】
（実施の形態４）
この実施の形態では、使用者が予め固定原稿読み取りモードで読み取った原稿の画像を記憶させておき、次にＡＤＦで原稿を読み取る際にインデックス原稿を読み取った場合に、インデックス原稿に代えて予め記憶させた原稿の画像を挿入する態様の一例について説明する。
【００３７】
この実施の形態において、使用者は、予め一連の読み取り原稿のうち固定原稿読み取りモードで読み取りたい原稿をインデックス原稿に差し替えていることが前提である。例えば、原稿の中に極端に薄い用紙や厚い用紙が混在する場合、使用者は、その原稿をインデックス原稿に差し替えておくものとする。さらに、差し替えた原稿を予め固定原稿読み取りモードで読み取って原稿画像記憶部５１に記憶させておく。メイン制御部４５は、予め原稿の画像を原稿画像記憶部５１に記憶させることを目的とする読み取り処理を使用者に提供する。例えば、使用者に特定のキーを押させることにより当該処理をさせることができる。
【００３８】
図６は、この発明の原稿読取装置における原稿読み取り処理の実行手順の異なる一例を示すフローチャートである。図６で、まず、使用者に特定のキーを押下させることによって原稿の画像を原稿画像記憶部５１に記憶するように設定させる。使用者によって原稿が原稿載置台２７に置かれ、読込みの開始を指示するために読み取り開始のキーが押されると、メイン制御部４５は、固定原稿読み取りモードで原稿の読取を開始する（ステップＳ７１）。読み取った原稿の画像は、読み取りの順序を表す属性情報と共に原稿画像記憶部５１に記憶する（ステップＳ７３）。複数枚の原稿を読み込む場合は、１枚の原稿の読み込みを終えた後に、使用者によって原稿が交換され、読み取り開始のキーが押されると次の原稿を読み込み、読み込んだ原稿画像を原稿画像記憶部５１に記憶する。メイン制御部４５は、使用者に読み取り終了のキーを押下させることにより、全ての原稿画像の読み込みを終えたことを知る。読み取り終了のキーが押されると（ステップＳ７５）、メイン制御部４５は、原稿画像記憶部５１に画像を記憶する処理を終了する。
【００３９】
次に、使用者によってＡＤＦ１００の原稿載置トレイ１０１にインデックス原稿が挿入された一束の原稿がセットされると、原稿検知部５５は、原稿検知部図示しない原稿検知センサによって、ＡＤＦ１００に原稿がセットされたことを検知する。読み取りモード制御部３５は、原稿検知部５５によってＡＤＦ１００への原稿セットが検知されたことに応答して読み取りモードとして搬送原稿読み取りモードを選択する（ステップＳ７７）。この状態で、使用者によって読み取り開始のキーが押下されると、パネル制御部３１がキーの押下を検知する。メイン制御部４５は、読み取り開始のキー押下に応答して原稿の読み取り処理を開始し、原稿の読み取り処理を行う（ステップＳ７９）。
【００４０】
前述のように、搬送原稿読み取りモードが選択されているので、メイン制御部４５は、ＡＤＦ１００の原稿載置トレイ１０１に載置された原稿を１枚ずつ原稿搬送路１０３に搬送し、第１の画像読取手段１０４によって原稿の第１面が読み取るように制御する。また、両面読み取りが使用者によって設定されている場合は、第２の画像読取手段１０５によって原稿の第２面を同時に読み取るように制御する。このようにして、メイン制御部４５は、原稿載置トレイ１０１の原稿を、順次原稿搬送路１０３へ給送して原稿の画像を読み取るように制御する。インデックス原稿以外の原稿に対して通常の読み取り処理が行われている間は、一枚ごとの原稿読み取りを順次行い、原稿を読み取るごとに次の原稿があるかどうかを判定する（ステップＳ８７）。インデックス画像認識部４０は、読み取られた原稿の画像をインデックス画像と比較し、インデックス原稿かどうかの判定を各原稿の読み取りのたびに行う。原稿載置トレイ１０１上の原稿が全て給送されたことを原稿検知部５５が検知した場合、メイン制御部４５は、読み取った原稿の画像データを一連の画像データにまとめて出力する（ステップＳ８９）。
【００４１】
読み取り処理の途中で、インデックス画像認識部４０がインデックス原稿の画像が認識された場合、（ステップＳ８１）、インデックス画像認識部４０はキー入力を検知してイベント信号を出力する。読み取りモード制御部３５は、インデックス画像認識部４０からのイベント信号に応答して、インデックス原稿の次の原稿の読み取りモードとして、固定原稿読み取りモードを選択する。また、メイン制御部４５は、インデックス画像を読み取った原稿画像として処理せずに破棄し、原稿画像挿入部５３は、予め原稿画像記憶部５１に記憶された原稿画像をインデックス画像に代えて挿入する（ステップＳ８３）。原稿の挿入が終了すると、メイン制御部４５は、次に読み取るべき原稿がＡＤＦ１００に残っているかどうかを判断する（ステップＳ８７）。原稿が残っている場合、ルーチンはステップＳ７９へ進み、次の原稿を搬送原稿読み取りモードで読み取る。
【００４２】
（実施の形態５）
この実施の形態では、読み取りモードを固定原稿読み取りモードに切り替えた次の原稿の読み取り開始時に原稿検知部が原稿を検知した場合はさらに固定原稿読み取りモードで読み取り処理を行い、原稿検知部が原稿を検知しなかった場合は搬送原稿読み取りモードで読み取り処理を行う態様の一例について説明する。
【００４３】
図７は、この発明の原稿読取装置における原稿読み取り処理の実行手順の異なる一例を示すフローチャートである。図７で、まず、使用者によってＡＤＦ１００の原稿載置トレイ１０１に原稿がセットされると、原稿検知部５５は、原稿検知部図示しない原稿検知センサによって、ＡＤＦ１００に原稿がセットされたことを検知する。読み取りモード制御部３５は、原稿検知部５５によってＡＤＦ１００への原稿セットが検知されたことに応答して読み取りモードとして搬送原稿読み取りモードを選択する（ステップＳ１０１）。この状態で、使用者によって読み取り開始のキーが押下されると、パネル制御部３１がキーの押下を検知する。メイン制御部４５は、読み取り開始のキー押下に応答して読み取り処理を開始し、原稿の読み取り処理を行う（ステップＳ１０３）。
【００４４】
前述のように、搬送原稿読み取りモードが選択されているので、メイン制御部４５は、ＡＤＦ１００の原稿載置トレイ１０１に載置された原稿を１枚ずつ原稿搬送路１０３に搬送し、第１の画像読取手段１０４によって原稿の第１面が読み取るように制御する。また、両面読み取りが使用者によって設定されている場合は、第２の画像読取手段１０５によって原稿の第２面を同時に読み取るように制御する。このようにして、メイン制御部４５は、原稿載置トレイ１０１の原稿を、順次原稿搬送路１０３へ給送して原稿の画像を読み取るように制御する。原稿搬送路１０３を原稿搬送路が通過する間、原稿ジャム検知部５５は、原稿ジャムの発生の有無を検知する。原稿ジャムが発生することなく、正常に読み取り処理が行われている間は、メイン制御部４５は、一枚ごとの原稿読み取りを順次行い、原稿を読み取るごとに次の原稿があるかどうかを判定する（ステップＳ１１５）。原稿載置トレイ１０１上の原稿が全て給送されたことを原稿検知部５５が検知した場合、メイン制御部４５は、読み取った原稿の画像データを一連の画像データにまとめて出力する（ステップＳ１１７）。
【００４５】
一方、読み取り処理の途中で、イベント信号発生部３７からイベント信号が出力された場合（ステップＳ１０５の「Ｙ」）、読み取りモード制御部３５は、イベント信号発生部３７からのイベント信号に応答して、次の原稿を読み取る際の読み取りモードとして、固定原稿読み取りモードを選択し、次の原稿の読み取りを行う（ステップＳ１０７）。ここで、イベント信号は、前述した原稿ジャム発生、特定のキー入力、インデックス画像のいずれによるイベント信号であってもよい。さらに、使用者によって次の原稿の読込みの開始を指示するために読み取り開始のキーが押されると（ステップＳ１０９）、メイン制御部４５は、原稿検知部５５が使用者によって原稿載置台２７に原稿がおかれた原稿を検知しているかどうかを判断する（ステップＳ１１１）。原稿載置台２７上に次の原稿が置かれていることを原稿検知部５５が検知している場合、ルーチンはステップ１０７へ進み、次の原稿の読み取り処理を繰り返す。これによって、次の原稿が原稿載置台２７に置かれた場合は、固定原稿読み取りモードでの読取が継続される。一方、原稿検知部５５が、原稿載置台２７に原稿がない状態を検知した場合、メイン制御部４５は、次に読み取るべき原稿がＡＤＦ１００に残っているかどうかを判断する（ステップＳ１１５）。原稿が残っている場合、ルーチンはステップＳ１０３へ進み、以降の原稿を搬送原稿読み取りモードで読み取る。
【図面の簡単な説明】
【００４６】
【図１】この発明の原稿読取装置の機能的な構成を示すブロック図である。
【図２】この発明の原稿読取装置の機構的な構成を示す断面図である。
【図３】この発明の原稿読取装置における原稿読み取り処理の実行手順の一例を示すフローチャートである。（実施の形態１）
【図４】この発明の原稿読取装置における原稿読み取り処理の実行手順の異なる一例を示すフローチャートである。（実施の形態２）
【図５】この発明の原稿読取装置における原稿読み取り処理の実行手順の異なる一例を示すフローチャートである。（実施の形態３）
【図６】この発明の原稿読取装置における原稿読み取り処理の実行手順の異なる一例を示すフローチャートである。（実施の形態４）
【図７】この発明の原稿読取装置における原稿読み取り処理の実行手順の異なる一例を示すフローチャートである。（実施の形態５）
【符号の説明】
【００４７】
１    原稿読取装置
１０    スキャナ部
１１    第１走査ユニット
１３    露光ランプ
１５    第１ミラー
１７    第２ミラー
１９    第３ミラー
２１    第２走査ユニット
２３    結像レンズ
２５    ＣＣＤイメージセンサ
２７    原稿載置台
３１    パネル制御部
３３    読取部
３５    読み取りモード制御部
３７    イベント信号発生部
３９    キー入力検知部
４０    インデックス画像認識部
４１    原稿ジャム検知部
４３    原稿カバー開閉検知部
４５    メイン制御部
４７    制御データ記憶部
４９    画像処理用バッファ
５１    原稿画像記憶部
５３    画像挿入部
５５    原稿検知部
１００    原稿搬送装置、ＡＤＦ
１０１    原稿載置トレイ
１０２    原稿排出トレイ
１０３    原稿搬送路
１０４    第１の画像読取手段
１０５    第２の画像読取手段
１０６    搬送ローラ
１０７    湾曲部
１０８    原稿排紙ローラ
１０９    スリット部
【図１】
2006339830.tif 000003
【図２】
2006339830.tif 000004
【図３】
2006339830.tif 000005
【図４】
2006339830.tif 000006
【図５】
2006339830.tif 000007
【図６】
2006339830.tif 000008
【図７】
2006339830.tif 000009